(57)【要約】【課題】ホイールキャップを自由に且つ容易に装飾することができ、しかも、安価な構成で多様な装飾模様を作り出すことができるようにする。【解決手段】ホイールキャップ装飾用具５を、複数枚の装飾シール６、型紙７から構成する。型紙７は、ホイールキャップ１の外形状に略一致する円形状をなし、ホイールキャップ１に施される装飾模様を示す孔部８が設けられている。孔部８の個数及び形状は、装飾模様を構成する装飾シール６の枚数及び形状に対応している。孔部８の配置は、装飾模様を構成する装飾シール６の配置に対応している。【選択図】　図１
2004009749.tif 000002
【特許請求の範囲】
【請求項１】
ホイールキャップの表面に貼着可能に構成され、前記ホイールキャップの表面の一部を覆う複数の装飾シールから構成されていることを特徴とするホイールキャップ装飾用具。
【請求項２】
前記装飾シールの前記ホイールキャップの表面における貼着位置を示す型紙を備えることを特徴とするホイールキャップの装飾用具。
【発明の詳細な説明】
【０００１】
【発明の属する技術分野】
本発明は、ホイールキャップの表面を装飾するためのホイールキャップ装飾用具に関する。
【０００２】
【発明が解決しようとする課題】
従来から、塗料をホイールキャップの表面に塗布したり、転写フィルムをプレス成形したりすることによりホイールキャップの表面を装飾することが行われている。しかし、これらの装飾方法は、いずれも作業が複雑であったり、高価な設備が必要であったりするため、一般の使用者が自由に実施できるものではなかった。また、ホイールキャップの装飾に飽きた場合でも、ホイールキャップそのものを取り替えなければ装飾を変更させることができなかった。
【０００３】
これに対して、絵柄等が印刷されたシートをホイールキャップの表面に貼り付けて装飾を施す方法がある。前記シートは、ホイールキャップの表面全体に貼付されるようになっている。従って、シートに印刷等された絵柄そのものがホイールキャップの装飾模様となる。このため、装飾模様の種類を増やすためには、シートに印刷する絵柄の種類を増やさなければならず、製造コストの上昇を招く。
【０００４】
本発明は上記事情に鑑みてなされたものであり、その目的は、ホイールキャップを自由に且つ容易に装飾することができ、しかも、安価な構成で多様な装飾模様を作り出すことができるホイールキャップ装飾用具を提供することである。
【０００５】
【課題を解決するための手段】
本発明の請求項１のホイールキャップ装飾用具は、ホイールキャップの表面に貼着可能な複数の装飾シールから構成されていることを特徴とする。
【０００６】
上記構成によれば、装飾シールをホイールキャップの表面に貼着することによりホイールキャップが装飾される。そして、装飾シールの貼着枚数や組み合わせ、貼着位置、貼り着け方向等を変更することにより、多種多様な装飾模様を作り出すことができる。
【０００７】
この場合、前記装飾シールのホイールキャップの表面における貼着位置を示す型紙を備えると良い（請求項２の発明）。上記構成によれば、ホイールキャップの表面における装飾シールの貼着位置を誤ることがない。従って、複数の装飾シールをホイールキャップに貼着することにより形成される模様の見栄えを良くすることができる。
【０００８】
【発明の実施の形態】
以下、本発明の一実施例を図１ないし図５を参照しながら説明する。図１は本実施例に係るホイールキャップ装飾用具の一例をホイールキャップと共に示すものであり、図２は図１に示す装飾用具を用いて装飾されたホイールキャップを示す斜視図を示すものである。また、図３ないし図５は、装飾模様の他の例を示すものである。
【０００９】
図１において、ホイールキャップ１は、例えば合成樹脂からなり放射状に配列された６個の放熱用窓部２を有している。前記放熱用窓部２は、それぞれホイールキャップ１に設けられた窪み部３の底部に設けられている。前記放熱用窓部２のうちの一つの周縁部には、タイヤの空気バルブ（いずれも図示せず）を避けるための凹部４が設けられている。
【００１０】
ホイールキャップ装飾用具５は、複数枚の装飾シール６及び型紙７から構成されている。前記装飾シール６は例えばひし形状をなし、その表面には適宜の彩色が施されている。この場合の彩色は一色でも良く複数色の組み合わせでも良い。装飾シール６の裏面全体には接着剤層が形成され、その接着剤層を覆う保護シート（いずれも図示せず）が取付けられている。
【００１１】
前記型紙７は、ホイールキャップ１の外形状に略一致する円形状をなし、ホイールキャップ１に施される装飾模様を示す孔部８が設けられている。孔部８の個数及び形状は、装飾模様を構成する装飾シール６の枚数及び形状に対応している。また、孔部８の配置は、装飾模様を構成する装飾シール６の配置に対応している。ここでは、装飾模様１０（図２参照）に対応し、放射状に配置された６個のひし形状の孔部８を有する型紙７を示している。
【００１２】
前記型紙７の周縁部には位置合わせ用の目印である切欠９が設けられている。前記切欠９は、ホイールキャップ１に設けられた凹部４に合わせるようになっている。
【００１３】
次に、上記装飾用具５を用いてホイールキャップ１を装飾する手順について説明する。まず、切欠９が凹部４に一致するように、型紙７をホイールキャップ１の表面に載置する。このとき、型紙７の位置がずれないように、ビニルテープなどで型紙７をホイールキャップ１に仮固定すると良い。
【００１４】
続いて、保護シートの一部或いは全部を接着層から取り外した装飾シール６を孔部８を通してホイールキャップ１の表面に貼着する。この後、型紙７をホイールキャップ１から取り除く。このとき、保護シートの一部が残っている場合には、その保護シートを接着層から剥がして装飾シール６を完全にホイールキャップ１に貼着する。以上によりホイールキャップ１の装飾作業が終了する。
【００１５】
この結果、図２に示すように、ホイールキャップ１の表面には放射状に配列された６枚の装飾シール６からなる装飾模様１０が形成される。
【００１６】
尚、図３ないし図５は、上記装飾用具５を用いて形成される他の装飾模様の例を示すものである。図３ないし図５では、放熱用窓部２を備えていないホイールキャップ１１に対して装飾を施した例を示している。
【００１７】
即ち、図３に示す装飾模様１２は、ホイールキャップ１１の周縁部に沿って配置された８枚の装飾シール６から構成されている。図４に示す装飾模様１３は、ホイールキャップ１１の中心部に放射状に配置された４枚の装飾シール６及び外周部に放射状に配置された４枚の装飾シール６から構成されている。
【００１８】
また、図５に示す装飾模様１４は、４枚の前記装飾シール６及び三角形状の４枚の装飾シール１５を交互に且つ放射状に配置することにより構成されている。このように異なる２種類の装飾シール６，１５を組み合わせて装飾模様１４を構成することも可能である。
【００１９】
尚、図示しないが、装飾用具５は、図３ないし図５に示す各装飾模様１２〜１４に対応する型紙を備えている。従って、これらの装飾模様１２〜１４をホイールキャップ１１に形成する場合も、上記手順に従い装飾シール６，１５の貼着することになる。
【００２０】
このように本実施例では、複数枚の装飾シール６，１５及び型紙７からホイールキャップ装飾用具５を構成した。特に、複数種類の装飾シール６，１５を設けた。このため、装飾シール６，１５の組み合わせ、枚数、配置、貼着する向き等を変更することにより多種多様な装飾模様を作り出すことができる。
【００２１】
また、形成した装飾模様に飽きた場合には、ホイールキャップ１，１１から装飾シール６，１５を剥がして別の新たな装飾シール６，１５を貼り付けることにより、簡単に装飾模様を変更することができる。
【００２２】
しかも、装飾シール６，１５の貼着位置を示す型紙７を設けたので、一般の使用者でも装飾シール６，１５をホイールキャップに貼付ける位置を誤ることなく簡単に見栄えが良い装飾模様１０，１２〜１４を形成することができる。従って、ホイールキャップ１，１１の装飾に要する費用を安く抑えることができる。
【００２３】
ところで、放熱用窓部２を有するホイールキャップ１の場合、放熱用窓部２と装飾シール６，１５との位置関係も装飾模様の見栄えに影響を及ぼす。そこで、本実施例では、前記ホイールキャップ１に対する型紙７の位置を示す目印となる切欠９を設けた。従って、ホイールキャップ１に対して一層見栄えの良い装飾を施すことができる。
【００２４】
尚、本発明は上記した実施例に限定されるものではなく、例えば次のような変形が可能である。
型紙７に設ける目印は切欠９に限定されるものではなく、図６に示すように型紙７にマーク２１を印刷して目印としても良く、図７に示すように円形状の孔２２を空けて目印としても良い。また、目印は省略しても良い。
【００２５】
装飾シールの形状は幾何図形に限らず、花柄や動物などの絵模様、文字などでも良い。
ホイールキャップ装飾用具は、装飾シールのみから構成しても良い。型紙がなくても装飾シールの貼着位置を誤らない場合、例えば、装飾シールが、ホイールキャップの放熱用窓部や窪み部の周縁部に沿うような形状の場合には、型紙を省略しても良い。
【００２６】
【発明の効果】
以上の説明から明らかなように、本発明のホイールキャップ装飾用具は、ホイールキャップの表面に貼着可能な複数の装飾シールから構成したので、ホイールキャップの表面に貼着する装飾テープの枚数や組み合わせ、貼着位置、貼り着け方向等を変更することにより、安価な構成で多種多様な装飾模様を自由に且つ簡単に作り出すことができる。
【図面の簡単な説明】
【図１】本発明の一実施例を示すホイールキャップ装飾用具をホイールキャップと共に示す斜視図
【図２】装飾シールが貼着された状態を示すホイールキャップの斜視図
【図３】装飾シールから構成される装飾模様の他の例を示す図
【図４】装飾シールから構成される装飾模様の他の例を示す図
【図５】装飾シールから構成される装飾模様の他の例を示す図
【図６】本発明の変形例を示すものであり、型紙の一部を示す図
【図７】本発明の他の変形例を示す図６相当図
【符号の説明】
図中、１，１１はホイールキャップ、５はホイールキャップ装飾用具、６，１５は装飾シール、７は型紙、１０，１２〜１４は装飾模様を示す。
【図１】
2004009749.tif 000003
【図２】
2004009749.tif 000004
【図３】
2004009749.tif 000005
【図４】
2004009749.tif 000006
【図５】
2004009749.tif 000007
【図６】
2004009749.tif 000008
【図７】
2004009749.tif 000009